(57)【要約】【課題】キャップと印鑑との間の摩擦力のみによる取り付けに頼らず、キャップと印鑑の寸法にある程度の誤差が生じたとしても自然に外れないばかりでなく、長年の使用によってもキャップが外れ易くならないキャップを備えた印鑑を提供する。【解決手段】  非金属の印材本体２の一端に突部２ａを設け、端部に印面を形成した非金属の印面部材３の他端部に凹部３ａを形成する。突部２ａの先端と凹部３ａの底面の間に第１のマグネット７を配置して突部２ａと凹部３ａを嵌め合わせ、印材本体２と印面部材３とを接着剤を介して結合し印鑑本体４を形成する。一方、一端に形成した凹部５ａの底面に第１のマグネット７と吸引する第２のマグネット９を固設した非金属のキャップ５を形成し、印鑑本体４とキャップ５との間の摩擦力およびマグネット７，９間の吸引力によりキャップ５を印鑑本体４に着脱可能に装着し得るようする。【選択図】図３
0003122939.tif 000002
【実用新案登録請求の範囲】
【請求項１】
一端に突部を形成した非金属の印材本体と、
端部に印面を形成するとともに他端部に凹部を形成した非金属の印面部材と、
前記突部先端と前記凹部底面の間に第１のマグネットを配設して前記突部と前記凹部を嵌め合わせ前記印材本体と前記印面部材とを結合した印鑑本体と、
一端に形成した凹部の底面に前記第１のマグネットと吸引する第２のマグネットを固設した非金属のキャップと、
からなり、
前記印鑑本体とキャップ間の摩擦力および前記マグネット間の吸引力により前記キャップを前記印鑑本体の印面部材側から着脱可能に装着し得るようにしたことを特徴とするキャップを備えた印鑑。
【請求項２】
非金属の前記印材本体、印面部材およびキャップは、木製または動物の角材、牙材、歯材、骨材、または土製の陶材、または合成樹脂材などからなることを特徴とする請求項１記載のキャップを備えた印鑑。
【請求項３】
前記印材本体と前記印面部材の結合は、接着剤結合またはネジ結合であることを特徴とする請求項１記載のキャップを備えた印鑑。
【請求項４】
前記印材本体と印面部材とは、同一質材または異なる質材により形成したことを特徴とする請求項１記載のキャップを備えた印鑑。
【請求項５】
前記キャップは、前記凹部内に前記第２のマグネットを覆う印面部材と同質材からなるカバーを固設したことを特徴とする請求項１記載のキャップを備えた印鑑。
【考案の詳細な説明】
【技術分野】
【０００１】
本考案は、印鑑の印面を保護等するキャップを印鑑本体に着脱自在に設けたキャップを備えた印鑑に関する。
【背景技術】
【０００２】
印鑑の中には、印面が損壊するのを防止したり、印面に付いている朱肉が周りのものに付着するのを防ぐため、使用しないときに印面が露出しないように印鑑にキャップを被せるように構成されているものがある。
【０００３】
一般に、キャップは印鑑の外径と略同じ内径の凹部が形成され、印鑑の印面部側から凹部に差し込んで印鑑にキャップを被せており、印鑑の外側面と凹部の内側面との間の摩擦により、キャップが印鑑から自然に抜け落ちないようになっている。
【０００４】
また、印判体（印面部材）を取り付けたカバー胴体とキャップとを螺合して着脱自在に印判体の印面を覆う印鑑が提案されている（例えば、特許文献１）。
【０００５】
【特許文献１】特開２０００−２８９３１４号公報
【考案の開示】
【考案が解決しようとする課題】
【０００６】
印鑑にキャップを差し込むものは、印鑑に対するキャップの取り付けや取り外しが極めて容易にできるので、キャップの取り付けや取り外しに手間が掛からないという利点を有している。しかし、印鑑とキャップとの摩擦力でキャップを印鑑に保持するようにしてあるので、印鑑外周とキャップ内周の相対的な寸法を正確にし、印鑑とキャップとの間の嵌合の強弱を最適にしなければならなかった。例えば、嵌合を弱くしすぎるとキャップは印鑑から自然に外れ易くなったり、嵌合を強くしすぎるとキャップの着脱に手間が掛かったりする問題点があった。さらに、初めは最適な嵌合であっても、長期間の使用により摩耗が生じて嵌合が弱くなり、キャップが外れ易くなるという問題点があった。
【０００７】
一方、カバー胴体とキャップを螺合する印鑑にあっては、キャップの着脱の際にカバー胴体とキャップを相対的に回転しなければならず、キャップの着脱が面倒であるという問題点があった。さらに、キャップを印鑑に取り付ける時に、締め付け力が弱いとキャップが外れ易くなり、逆に締め付け力が強すぎるとキャップの取り外しが困難となる場合が生じるため、印鑑とキャップの締め付け力を適度に調整しなければならないという問題点があった。
【０００８】
本考案は、前記問題点に鑑みてなされたもので、キャップを印鑑に差し込む方式を採用し極めて容易にキャップの着脱を行えるとともに、キャップと印鑑との間の摩擦力のみによる取り付けに頼らず、キャップと印鑑の寸法にある程度の誤差が生じたとしても自然に外れないばかりでなく、長年の使用によってもキャップが外れ易くならないキャップを備えた印鑑を提供するとともに、印鑑本体を印材本体と印面部材とを結合して形成し印材本体と印面部材との材質ばかりでなくキャップの材質をも異ならせることを可能にして美観に優れたキャップを備えた印鑑を提供することを目的とする。
【課題を解決するための手段】
【０００９】
前記目的を達成するために、本発明の請求項１のキャップを備えた印鑑は、一端に突部を形成した非金属の印材本体と、端部に印面を形成するとともに他端部に凹部を形成した非金属の印面部材と、前記突部先端と前記凹部底面の間に第１のマグネットを配設して前記突部と前記凹部を嵌め合わせ前記印材本体と前記印面部材とを結合した印鑑本体と、一端に形成した凹部の底面に前記第１のマグネットと吸引する第２のマグネットを固設した非金属のキャップと、からなり、前記印鑑本体とキャップ間の摩擦力および前記マグネット間の吸引力により前記キャップを前記印鑑本体の印面部材側に着脱可能に装着し得るようにしたことを特徴とするキャップを備えた印鑑。
【００１０】
本発明の請求項２のキャップを備えた印鑑は、請求項１の構成にあって、非金属の前記印材本体、印面部材およびキャップは、木製または動物の角材、牙材、歯材、骨材、または土製の陶材、または合成樹脂材などからなることを特徴とする。
【００１１】
本発明の請求項３のキャップを備えた印鑑は、請求項１の構成にあって、前記印材本体と前記印面部材の結合は、接着剤結合またはネジ結合であることを特徴とする。
【００１２】
本発明の請求項４のキャップを備えた印鑑は、請求項１の構成にあって、前記印材本体と印面部材とは、同一質材または異なる質材により形成したことを特徴とする。
【００１３】
本発明の請求項５のキャップを備えた印鑑は、請求項１の構成にあって、前記キャップは、前記凹部内に前記第２のマグネットを覆う印面部材と同質材からなるカバーを固設したことを特徴とする。
【考案の効果】
【００１４】
請求項１の考案によれば、キャップを印鑑本体に差し込む構成で極めて容易にキャップの着脱を行えるとともに、被せた際には第１のマグネットと第２のマグネットが吸引し合っているので、長期間の使用により摩耗してキャップと印鑑本体の間の摩擦力が低減しても自然にキャップが印鑑本体から外れ易くなることは無く、不使用時における印面の保護を確実に行えるとともにキャップが外れて周りを汚すという不具合を確実に防ぐことができるという効果を奏する。
【００１５】
請求項２、４の考案によれば、非金属の印鑑に適した材料を選択し、使用者の好みに合った材質の印鑑や美観を備えた請求項１の効果を有する印鑑を得ることができる。
【００１６】
請求項３の考案によれば、印鑑本体と印面部材を確実に結合することができる。
【００１７】
請求項５の考案によれば、印鑑本体にキャップを被せた際に第２のマグネットに印面部材の印面が直接に当接するのを防ぐとともにクッション材としての役割を果たし、印面を保護するという効果を奏する。
【考案を実施するための最良の形態】
【００１８】
以下、本発明の実施例を図面とともに説明する。
【実施例１】
【００１９】
本考案の実施例１を図１〜４に基づいて説明する。図１〜３は本考案に係る実施例１のキャップを備えた印鑑を示しており、図１はキャップを外した状態を示す斜視図、図２はキャップを被せた状態を示す斜視図、図３は図２のＡ−Ａ線断面図、図４は印鑑本体を分離して示す斜視図である。
【００２０】
図１〜４に示すように、本実施例のキャップを備えた印鑑（以下、単に印鑑と称する）１は、非金属の印材本体２と非金属の印面部材３とを一体的に結合してなる印鑑本体４と、印面部材３の方から印鑑本体４に対して着脱自在に装着し得るキャップ５とからなっている。
【００２１】
印材本体２は、断面円形の棒形状をしており、その一端面には円柱状の突部２ａが一体に突設されている。
【００２２】
印材部材３は、印材本体２と同径の断面円形状をしており、その一端面側には前記凸部２ａの挿入可能な円柱状の凹部３ａが前記突部２ａの外径と略等しく凹設されており、他端面は印面６に形成されている。
【００２３】
印鑑本体４は、印材本体２と印面部材３からなり、第１のマグネット７が内設されている。印材本体２と印面部材３とは、印材本体２の突部２ａの先端と印面部材３の凹部３ａの底面との間に第１のマグネット７を配設しつつ、突部２ａの突設面と凹部３ａの凹設面とを密接させるように突部２ａと凹部３ａを嵌合するとともに、印材本体２と印面部材３との間に接着剤（図示省略）を介在させて接着剤により一体的に結合されている。また、第１のマグネット７は前記接着剤により印材本体２の突部２ａと印面部材３の凹部３ａの間に固定されている。
【００２４】
キャップ５は、印材本体２および印面部材３と同質材の非金属が使用されている。キャップ５の一端面には、少なくとも印面部材３を挿入可能な深さの凹部５ａが凹設されており、この凹部５は印面部材３の外周面と摺接するとともに印鑑本体４へ容易に差し込みが可能な内径を有する大きさに形成されている。凹部５ａの底面には、印面部材３にキャップ５を被せた際に、第１のマグネット７と相対する位置に第２のマグネット９が配設されている。第２のマグネット９と第１のマグネット７とは、異極を対向させて配置されており、第１のマグネット７と第２のマグネット９との間で吸引力が作用するようになっている。さらに、第２のマグネット９の上面にはカバー１０が配置されて印面部材３の印面６と第２のマグネット９とが当たらないようになっており、キャップ５、第２のマグネット９およびカバー１０は接着剤１１により一体的に接合されている。カバー１０は、印面部材３の印面６を保護するクッション材としての役割を果たしており、キャップ５と同質材、すなわち印面部材３と同質材により作成されている。
【００２５】
第２のマグネット９は、その外径が第１のマグネット７の外径と同じ大きさか若干大きいものが用いられているが、図５に示すように、凹部５ａの内径と略等しい大きさの第２のマグネット９ａを用いて接着剤により接合しても構わない。
【００２６】
図６〜８はキャップの変形例を示す断面図である。図６および図７において、キャップ１２の凹部１２ａの底面中央およびカバー１３の裏面中央には、配置する第２のマグネット９の外径および厚さと略同じ大きさの穴１４および穴１５が形成されている。この穴１４および穴１５には第２のマグネット９が挿入され、凹部１２ａの底面とカバー１０，１３の裏面が接するようにして、キャップ１２と第２のマグネット９とカバー１０，１３が接着剤により接合されている。また、図８において、１７は、中央に第２のマグネット９と略同じ大きさの孔１６を形成した部材で、孔１６に第２のマグネット９を挿入して凹部１２ａの底面とカバー１０の裏面の間に配置され、キャップ１２と第２のマグネット９とカバー１０と部材１７が接着剤により接合されている。その他の構成は、キャップ５と同様である。
【００２７】
印材本体２、印面部材３およびキャップ５の材質は、木製または動物の角材、牙材、歯材、骨材、または土製の陶材、または合成樹脂材等のいずれであってもよく、使用する者の好みや価格に沿って適切な質材を選定することができる。
【００２８】
次に、実施例１の印鑑１を作製する手順を図３，４および図９，１０に基づいて説明する。
【００２９】
まず、印鑑１の質材（以下、印鑑本作製材料、印材本体作製材料、印面部材作製材料およびキャップ作製材料とも称する）を前記質材の中から選定する。このときには、使用する材質は作製する印鑑本体４とキャップ３の太さに既に加工されているものとする。
【００３０】
印鑑本体４の作製は、図９に示すように、選定した印鑑本体作製材料２０を少なくとも突部２ａを含めた印材本体２と印面部材３の長さを合わせた長さにし、印面部材３の長さとなる破線２０ａの位置で切断し、印材本体作製材料２１と印面部材作製材料２２に二分割する。
【００３１】
分割した印材本体作製材料２１と印面部材作製材料２２をそれぞれ加工し、図１０に示すように、印材本体作製材料２１に突部２ａを一体に突設形成して印材本体２を作製するとともに、印面部材作製材料２２に一端面側から前記突部２ａの長さと太さに合わせて凹部３ａを穿設して印面部材３を作製する。このとき、凹部３ａの深さは第１のマグネット９の厚さを加味する。
【００３２】
次に、印面部材３の凹部３ａ内に適量の接着剤を供給し、図４に示すように、突部２ａの先端と凹部３ａの底面との間に第１のマグネット７を位置させるようにして突部２ａと凹部３ａを嵌合し、図３に示すように、印材本体２と第１のマグネット７と印面部材３とを接着剤を介して一体的に結合して印鑑本体４を作製する。
【００３３】
キャップ５の作製は、図３を用いて説明すると、所望の長さに切断したキャップ作製材料に一端面側から印材部材３に差し込み可能な大きさの凹部５ａを形成し、第２のマグネット９を凹部５ａの底面の中央に位置させつつ接着剤を適量供給し、第２のマグネット９の上面を押さえ付けるようにカバー１０を凹部５ａ内に配置し、キャップ５と第２のマグネット９とカバー１０とを相互に接着剤を介して接合する。
【実施例２】
【００３４】
本考案の実施例２を図１１に基づいて説明する。図１１は印鑑本体の印材本体と印面部材を分離し印面部材の一部を破断して示す部分断面図である。
【００３５】
図１１に示すように、本実施例の印鑑本体２５は、印材本体２６と印面部材２７をネジ結合して構成されている。
【００３６】
印材本体２６の突部２６ａ外周面には雄ネジ２６ｂが形成され、印面部材２７の凹部２７ｂ内周面には雌ねじ２７ｂが形成されており、雄ネジ２６ｂと雌ねじ２７ｂを螺合して印材本体２６と印面部材２７とをネジ結合して印鑑本体２５が形成されている。その他のマグネットやキャップの構成は実施例１と同様であり、その説明および図示を省略する。
【００３７】
本実施例のキャップを備えた印鑑は、少なくとも印鑑本体２５の印材本体２６と印面部材２７の質材を異ならせて製作する場合に、特に有用である。例えば、印材本体２６に水牛角を用い、印面部材２７に象牙を用いる場合は、実施例１のように両者を接着剤により結合すると、両者の熱膨張率の相違により結合が剥離して分離する恐れが生ずるが、ネジ結合の場合にはネジ山が係合しているので分離する恐れが無いからである。なお、印材本体２６と印面部材２７を同じ質材により作製する場合にも、ネジ結合する構成にしても良いことは勿論である。
【００３８】
前記実施例においては、断面円形の棒状材により作製した場合を挙げたが、これに限られることはなく、図１２に示すように印材本体２を変形瓢箪形状に作製しても良く、あるいは楕円の柱状や方形の柱状などであっても良い。
【図面の簡単な説明】
【００３９】
【図１】本考案に係る実施例１のキャップを外した状態を示す斜視図である。
【図２】本考案に係る実施例１のキャップを被せた状態を示す斜視図である。
【図３】図１のＡ−Ａ線断面図である。
【図４】本考案に係る実施例１の印鑑本体を分離して示す斜視図である。
【図５】キャップの変形例を示す断面拡大図である。
【図６】キャップの変形例を示す断面拡大図である。
【図７】キャップの変形例を示す断面拡大図である。
【図８】キャップの変形例を示す断面拡大図である。
【図９】本考案に係る実施例１の作製を説明するための正面図である。
【図１０】本考案に係る実施例１の作製を説明するための斜視図である。
【図１１】本考案に係る実施例２の印鑑本体を分離して示す部分断面図である。
【図１２】他の印鑑形状を示す正面図である。
【符号の説明】
【００４０】
１    キャップを備えた印鑑（印鑑）
２，２６    印材本体
２ａ，２６ａ  突部
３，２７    印面部材
３ａ，５ａ，２７ａ  凹部
４，２５    印鑑本体
５，１２    キャップ
６    印面
７    第１のマグネット
９    第２のマグネット
１０，１３  カバー
１１  接着剤
１４，１５  穴
１６  孔
１７  部材
２０  印鑑本体作製材料
２１  印材本体作製材料
２２  印面部材作製材料
【図１】
0003122939.tif 000003
【図２】
0003122939.tif 000004
【図３】
0003122939.tif 000005
【図４】
0003122939.tif 000006
【図５】
0003122939.tif 000007
【図６】
0003122939.tif 000008
【図７】
0003122939.tif 000009
【図８】
0003122939.tif 000010
【図９】
0003122939.tif 000011
【図１０】
0003122939.tif 000012
【図１１】
0003122939.tif 000013
【図１２】
0003122939.tif 000014